【事件の表示】
　特願２０１６−２０９４８９「光制御フィルム」拒絶査定不服審判事件〔平成２９年　３月１６日出願公開，特開２０１７−　５４１２９〕について，次のとおり審決する。
【結　論】
　本件審判の請求は，成り立たない。
【理　由】
第１　手続等の経緯
　特願２０１６−２０９４８９号（以下「本件出願」という。）は，２０１２年（平成２４年）５月２４日（パリ条約による優先権主張外国庁受理　２０１１年５月２５日　米国）を国際出願日とする特願２０１４−５１２０９０号の一部を平成２８年１０月２６日に新たな特許出願（外国語書面出願）としたものであって，その手続等の経緯の概要は，以下のとおりである。
平成２８年１１月２５日付け：手続補正書
平成２９年　８月　３日付け：拒絶理由通知書
平成３０年　２月　８日付け：手続補正書
平成３０年　２月　８日付け：意見書
平成３０年　４月　２日付け：拒絶理由通知書
平成３０年　７月１９日付け：手続補正書
平成３０年　７月１９日付け：意見書
平成３０年　９月　３日付け：補正の却下の決定
（平成３０年７月１９日にされた手続補正が却下された。）
平成３０年　９月　３日付け：拒絶査定
平成３１年　１月１１日付け：審判請求書
平成３１年　１月１１日付け：手続補正書
第２　補正の却下の決定
［補正の却下の決定の結論］
　平成３１年１月１１日にされた手続補正（以下「本件補正」という。）を却下する。
［理由］
　１　補正の内容
　(1) 本件補正前の特許請求の範囲
　本件補正前（平成３０年２月８日にされた手続補正後の）特許請求の範囲の請求項１の記載は，次のとおりである。
「　光制御フィルムであって，
　第１の主表面及び反対側の第２の主表面と，
　前記第１の主表面と前記第２の主表面との間に延在する光吸収材料と，
　前記第１の主表面と前記第２の主表面との間に少なくとも部分的に延在する複数の光学的に絶縁された光透過性空洞と，を備え，
　前記複数の空洞のそれぞれが，前記第１の主表面と一致する第１の開口と，前記第２の主表面に隣接する第２の開口と，前記第１の開口及び前記第２の開口の間に延在する少なくとも１つの側壁と，を備え，
　更に，前記第２の開口及び前記第２の主表面が，０．１マイクロメートルを超えるランド厚さを有する前記光吸収材料によって分離され，
　前記複数の光学的に絶縁された光透過性空洞のそれぞれが，前記第１の主表面に直交する視野平面と関連付けられる，前記第１の開口と前記第２の開口との間の深さＤ，第１の開口幅Ｗ１，及び第２の開口幅Ｗ２を有し，前記視野平面において，Ｄ／（（Ｗ１＋Ｗ２）／２）が，少なくとも１．２５であり，Ｄ／（（Ｗ１＋Ｗ２）／２）が，８．２５以下であり，
　前記第１の主表面に平行な前記空洞のそれぞれの断面が，円形，楕円形，又は多角形を含み，
　前記光吸収材料が，二官能性及び／又は多官能性モノマーと混合されたアクリル化ウレタンを含む硬化性樹脂を含む，光制御フィルム。」
　(2) 本件補正後の特許請求の範囲
　本件補正後の特許請求の範囲の請求項１の記載は，次のとおりである。なお，下線は補正箇所を示す。
「　光制御フィルムであって，
　第１の主表面及び反対側の第２の主表面と，
　前記第１の主表面と前記第２の主表面との間に延在する光吸収材料と，
　前記第１の主表面と前記第２の主表面との間に少なくとも部分的に延在する複数の光学的に絶縁された光透過性空洞と，を備え，
　前記複数の空洞のそれぞれが，前記第１の主表面と一致する第１の開口と，前記第２の主表面に隣接する第２の開口と，前記第１の開口及び前記第２の開口の間に延在する少なくとも１つの側壁と，を備え，
　更に，前記第２の開口及び前記第２の主表面が，０．１
以上５
以下の
　前記複数の光学的に絶縁された光透過性空洞のそれぞれが，前記第１の主表面に直交する視野平面と関連付けられる，前記第１の開口と前記第２の開口との間の深さＤ，第１の開口幅Ｗ１，及び第２の開口幅Ｗ２を有し，前記視野平面において，Ｄ／（（Ｗ１＋Ｗ２）／２）が，少なくとも１．２５であり，Ｄ／（（Ｗ１＋Ｗ２）／２）が，８．２５以下であり，
　前記第１の主表面に平行な前記空洞のそれぞれの断面が，円形，楕円形，又は多角形を含み，
　前記側壁が，０度以上１０度以下の角度で前記第１の主表面に対する垂線に交差し，前記空洞は１５μｍ以上８０μｍ以下で離間配置され，前記第１の開口幅Ｗ１は１０μｍ以上５０μｍ以下であり，前記深さＤは３０μｍ以上６０μｍ以下であり，
　前記光吸収材料が，二官能性及び／又は多官能性モノマーと混合されたアクリル化ウレタンを含む硬化性樹脂を含む，光制御フィルム。」
　(3) 本件補正の内容
　本件補正は，本件補正前の請求項１に係る発明の発明を特定するために必要な事項である「ランド厚さ」を「０．１マイクロメートルを超える」ものから「０．１以上５マイクロメートル以下の」ものに変更する補正を含むものである。そして，この補正は，特許法１７条の２第５項各号に掲げる事項を目的とするものに該当しない（ランド厚さが０．１マイクロメートルである場合を含むこととなるため，特許請求の範囲の減縮ということができない。また，請求項の削除，誤記の訂正，明瞭でない記載の釈明を目的とするものにも該当しないことは明らかである。）。
　本件補正は，特許法１７条の２第５項の規定に違反してされたものである。
　請求人が，本件補正は特許請求の範囲の減縮を目的としたものであると主張していることを考慮して，本件補正後の請求項１に係る発明（以下「本件補正後発明」という。）が，同条６項において準用する同法１２６条７項の規定に適合するか（特許出願の際独立して特許を受けることができるものであるか）について，以下，検討する。
　２　独立特許要件についての判断
　(1) 引用文献２の記載
　原査定の拒絶の理由において引用された特開２００７−６９６０３号公報（以下「引用文献２」という。）は，本件出願の優先権主張の日（以下「本件優先日」という。）前に，日本国内又は外国において頒布された刊行物であるところ，そこには，以下の記載がある。なお，下線は当合議体が付したものであり，引用発明の認定や判断等に活用した箇所を示す。
　ア　「【特許請求の範囲】
【請求項１】
　基材層と，該基材層の片側または両側に表面層を形成した積層体に，金型転写することによって表面層をパターニングするパターン形成方法であって，以下の（Ａ），（Ｂ）の要件を満たすことを特徴とするパターン形成方法。
（Ａ）該表面層は，少なくとも微粒子を含むこと。
（Ｂ）該金型転写に用いられる金型は，金型凸部高さＨが表面層膜厚Ｌより大きく，かつ金型凹部断面積Ｓ２が表面層断面積Ｓ１より大きい表面形状を有し，積層体の表面層に押しあて金型凸部により前記表面層を貫通させること。
【請求項２】
　
少なくとも，前記金型転写をするにあたり，金型および／または積層体を加熱して該金型の表面形状を転写することを特徴とする請求項１記載のパターン形成方法。
　イ　「【技術分野】
【０００１】
　本発明は，金型転写により，基材表面をパターニングする方法，パターン形成用のシート，およびそれを用いて基材表面に微粒子を含む表面層が配列したパターンが形成されてなる光学機能性シートに関するものである。
【背景技術】
【０００２】
　近年，光学分野，半導体分野などの各種分野で，微細構造を形成する技術の重要性が高まっている。
…(省略)…
【０００６】
　そこで，近年，微細構造を容易に賦形する技術として，インプリントリソグラフィーがＣｈｏｕらによって提唱されている（非特許文献１参照）。インプリントリソグラフィーとは，金型上のパターンを樹脂に転写する技術であり，熱式と光式の二種類の方式がある。前者の熱式とは，熱可塑性樹脂を，ガラス転移温度Ｔｇ以上融点Ｔｍ未満に加熱した後に，その熱可塑性樹脂の表面に凹凸形状のパターンを有する金型を押し付けることで，また，後者の光式とは，光硬化性樹脂に金型を押し付けた状態で，光を照射して硬化させることで，金型上のパターンを，それぞれの樹脂に転写する技術である。
…(省略)…
【００１０】
…(省略)…光式のインプリントリソグラフィーを用いた場合には，光硬化性材料に機能材料を混合させることで，金型転写により機能材料をパターン状に配列することは可能であるが，使用できる樹脂が光硬化性材料のみであり，また混合可能な材料も光硬化性材料が感光する波長の光をよく透過するものであるという条件があるなど，用いる材料が制限を受ける。」
　ウ　「【発明が解決しようとする課題】
【００１１】
　そこで，本発明の目的は，かかる従来技術の問題点を克服し，簡単で安価に基材上の機能材料をパターニングするための方法，パターン形成用シート，およびそれを用いて形成した光学機能性シートを提供せんとすることにある。
…(省略)…
【発明の効果】
【００２９】
　本発明によれば，煩雑な工程を経ることなく，簡単かつ安価な方法で，基材上に機能材料をパターン状に形成することが可能となる。また，その形成に適したパターン形成用シートを提供できる。さらに，本方法を用いることによって，表面にパターンを有した光学機能性シートを容易に形成することができる。
【発明を実施するための最良の形態】
【００３０】
　本発明者らは，基材上に機能材料をパターン状に形成する方法，およびパターン形成用シートについて鋭意検討し，基材の片側または両側に形成された表面層に凹凸形状を有する金型を押し付けて，表面層を貫通させることよって上記課題を解決し，本発明に到達したものである。
…(省略)…
【００３５】
　ここで，本発明における「貫通」の定義を図２を用いて説明する。本発明における「貫通」とは，表面層１１を金型凸部２１の侵入部分で断裂させ，図２（ａ）〜（ｃ）のように基部４上にパターン５を形成することを示す。ただし，表面層１１が金型凸部２１の侵入部分で部分的，もしくは全体的に断裂せずに連結し，図２（ｄ）〜（ｆ）のように基部４上でパターン５が連結していても，機能的には連結していなければ本発明における「貫通」と見なす。
…(省略)…
【００４５】
　金型の材質としては，ガラス，シリコン，ステンレス鋼（ＳＵＳ），あるいはニッケル（Ｎｉ）など各種材料を利用でき，特に限定されるものではないが，金型の加工性の点から，シリコンやガラス，離形性と耐久性からはステンレス鋼（ＳＵＳ），ニッケル（Ｎｉ）などの金属材質が好ましい。
…(省略)…
【００４９】
　ここで，本発明のパターン形成方法における積層体１とは，基材層１２の表面に表面層１１を積層させたものであり，表面層１１は少なくとも微粒子を含むことを特徴とする。
【００５０】
　本発明のパターン形成方法における微粒子とは，マトリックスと非相溶のもののことをいう。その材質として，例えば，無機微粒子や有機微粒子，気泡などが挙げられる。
…(省略)…
【００６８】
　
本発明のパターン形成方法における，積層体１の表面層１１のマトリックスおよび基材層１２の材質は，いずれも熱可塑性を有する樹脂を主たる成分として構成されることが好ましく，
【００６９】
　これらの中で共重合するモノマー種の多様性，材料物性制御の容易性などの理由から，特に，ポリエステル系樹脂，ポリオレフィン系樹脂，ポリアミド系樹脂，アクリル系樹脂またはこれらの混合物が好ましい。上述の主成分たる熱可塑性樹脂は，表面層１１のマトリックスにおいては全成分中１％以上，より好ましくは２％以上，また基材層１２においては，全成分中の５０重量％以上占めることが好ましい。また，
上述の熱可塑性樹脂は，熱可塑性とともに光硬化性，熱硬化性を併せ持つことも好ましい
【００７０】
　また，
表面層１１のマトリックスおよび基材層１２は，主成分たる熱可塑性樹脂以外に，電磁波照射または熱により架橋して硬化する成分を添加することも好ましい
【００７１】
　また，本発明のパターン形成方法において，表面層１１には，微粒子の他，染料，顔料，電磁波吸収体，導電材料，磁性材料，液晶材料，発光材料など各種機能性材料を添加してもよい。
…(省略)…
【００７４】
　また，基材層１２としては，シート自体の機械的強度，耐熱性および取り扱いやすさ等を向上させるために，一軸または二軸延伸されたポリエチレンテレフタレートなどの樹脂層（シート）を用いてもよい。
…(省略)…
【００７９】
　本発明のパターン形成方法は，図１に示すように，積層体１
の表面に凹凸形状を有する金型２を押し付けて金型表面形状を転写するとともに
表面層１１を貫通させる
…(省略)…
【００９３】
　本発明のパターン形成方法により得られた成形品は，そのパターンを構成する材料を適宜選択することによって，ディスプレイ部材，半導体集積材料，意匠部材，光回路，光コネクタ部材，バイオチップなど各種用途に展開可能である。特に，基材層１２として透光性基材を用いた場合，各種透光性を有する光学機能性を有するシートを形成することが可能である。その例として，（１）集光シート，（２）視野制御シート，などがあげられる。以下，これらの例の詳細を示す。」
　エ　「【０１１３】
（２）
視野制御シート
　本発明の
パターン形成方法によって得られる
所定角度範囲方向の光のみを選択的に透過し，その他の方向の光は吸収
する視野制御機能を有
【０１１４】
　本発明の光学機能性シート（２）は，
光線透過性を有する基材層１２上に微粒子１３として光吸収性材料
を用いて表面層１１を形成した積層体
基部２４０の上にパターン状に光吸収層
２５０が形成されて
図１６は，表面層１１が金型凸部の侵入により断裂して，かつ基部２４０の上にパターン状に光吸収層または光散乱層２５０が形成されている場合の例を示しているが，これに限定されず，図１７（ａ）〜（ｆ）に例示するような構造も好ましく用いられる。
図１７（ｄ）〜（ｆ）は表面層１１が部分的，もしくは全体的に連結しているが，機能的に連結しない場合を示しており，またさらに，図１７（ａ），（ｄ）は，凸部全体が表面層を構成する材料で形成されている場合
をそれぞれ示すものである。
本発明の光学機能性シート（２）における機能的に断続しないとは，図１１（ｄ）〜（ｆ）において，連結部分の膜厚の表面層１１を持つ積層体を形成し，その透過率を測定したときに，透過率が５０％以上であることを示す。
【０１１５】
　本発明の光学機能性シート（２）において，光吸収層または光散乱層２５０の好ましい形状としては，矩形（図１６（ａ）参照），台形（図１６（ｂ）参照），三角形（図１６（ｃ）参照），これらが変形したもの（図１６（ｄ）〜（ｇ）参照），およびこれらの組み合わせ形状などが挙げられるが，これらに限定されることなく，形状を適宜選択することによって任意の視野制御特性を得ることができる。また，隣接するパターン間については，図１６（ａ）〜（ｆ）のように平坦部が形成されている場合，または図１６（ｇ）のように平坦部が形成されることなく連続的に連結している場合のいずれでもよい。
【０１１６】
　図１８（ａ）〜（ｈ）は，それぞれ，本発明の光学機能性シート（２）をその膜面と平行に切断した場合の断面における，光吸収層または光散乱層２５０の配置を模式的に示す断面図である。図１８（ａ）〜（ｈ）のように光吸収層または光散乱層２５０の形状が，線状，略三角形，略四角形，略六角形，円，楕円等から選ばれる形状を有していてもよい。図１８（ａ）〜（ｃ）は光吸収層または光散乱層２５０がストライプ状である場合，図１８（ｄ）は光吸収層２５０または光散乱層の断面が円形状である場合，図１８（ｅ）は三角形状である場合，図１８（ｆ）〜（ｇ）は四角形状である場合，図１８（ｈ）は六角形状である場合を，それぞれ例示するものである。この光吸収層２５０は，図示した場合のように整列していてもよく，またランダムに配列していたり，異なる形状が混在していてもよい。また，
図１９（ａ）〜（ｄ）
光吸収層
２５０の存在しない部分の形状が，略三角形，略四角形，略六角形，円，楕円
から選ばれる形状を有し
【０１１７】
　本発明の光学機能性シート（２）において，微粒子１３は，光を吸収，もしくは散乱させる任意の微粒子を用いることができる。ここで，
微粒子１３として，可視光の全波長領域を吸収するものを用いた場合，斜め方向の光は吸収される結果，斜め方向から観察すると黒色となる視野制御シート
…(省略)…
【０１１９】
　また，本発明の光学機能性シート（２）において，
シート膜厚方向における凸部の高さＨ２’と，シート断面における膜面方向の凹部幅ｗ２２’との
アスペクト比（Ｈ２’／ｗ２２’）を低くすると視野角が広がり，高くすると視野角を狭くすることが可能
アスペクト比（Ｈ２’／ｗ２２’）の好ましい範囲
は１〜１０であ
【０１２０】
　ここで，凹部幅ｗ２２’は，図１６（ａ）に示したように，シート断面において，凸部と凹部とが交互に繰返し配列する方向での凸部間の長さである。なお，図１８（ａ）〜（ｃ）のようにストライプ状パターンの場合や，図１８（ｄ）〜（ｈ）のように，光吸収層または光散乱層２５０が円形もしくは多角形状である場合は，光吸収層または光散乱層２５０間の最短距離を凹部の幅ｗ２２’とする。また，図１９（ａ）のように，凹部が円形の場合はその直径が，楕円の場合はその短径が，図１９（ｂ）〜（ｄ）のように三角形・四角形などの多角形の場合はその内接円の直径が，凹部の幅ｗ２２’に相当する。なお，光吸収層または光散乱層２５０の幅ｗ２１’についても同様の定義とする。
【０１２１】
　また，本発明の光学機能性シート（２）は，
凹部の幅ｗ２２’
５〜２５０μｍであ
この範囲とすることで，液晶ディスプレイ用途へ使用した場合に，目視でシート上の繰り返しパターンが確認されず，画素パターンとの干渉が生じないため好まし
繰り返しパターンのピッチｐ２’
は一定であってもよいし，規則的に変化しても，またランダムであってもよ
【０１２２】
　また，本発明の光学機能性シート（２）の凸部の高さＨ２’は，十分な視野制御性を得るためのパターンの形成しやすさ（プロセス面），および薄型化への対応等を考慮した場合，１０〜５００μｍが好ましい。
…(省略)…
【０１２４】
　本発明の光学機能性シート（２）は，拡散して広がった光のうち，所定角度範囲方向の光のみを選択的に透過し，その他の方向の光は吸収または散乱する視野制御機能を有することを特徴とし，本機能が求められる各種用途に使用することができるが，その例として，
特に液晶表示装置や，キャッシュディスペンサーのタッチパネルなどの画像表示媒体の前面に設置することによって，他人からの機密情報ののぞき込みを防止できることがあげられる。
…(省略)…
【０１４２】
Ｆ．視野制御シートの特性評価方法：
　Ｆ−１視野角特性
　携帯電話の液晶表示部分の最前面に光学機能性シート（２）を，パターンが観察者側になるように張り合わせた。画面の情報を法線方向から観察した後，徐々に観察方向を傾けていき，画面の情報が観察されなくなったときの方向と法線方向とのなす角度を求めた。
【０１４３】
　正面方向からは画像情報が確認され，傾けたときに視野制御性が発現した場合：○，
　正面方向から画像情報が確認されない場合：×，
とした。」
　オ　「【実施例】
【０１４４】
…(省略)…
【０１６４】
実施例４
　表面層として，マトリックスとなる６０℃で４時間静置乾燥させたシクロヘキサンジメタノール６６ｍｏｌ％共重合ＰＥＴ（”Ｅａｓｔｅｒ　ＰＥＴ−Ｇ”ＧＮ−０７１：イーストマン（株）製）９８重量部，および微粒子となるカーボンブラック（”ＵＦ−Ｇ５”：昭和電工（株）製，平均粒径３μｍ）２重量部を押出機内で２８０℃で溶融させ，また，基材層として，１５０℃で２時間真空乾燥させたシクロヘキサンジメタノール２５％共重合ＰＥＴを別の押出機内で２８０℃で溶融させて，所定の方法により溶融２層共押出口金からキャストドラム上に共押出して，表面層２０μｍ，基材層４８０μｍからなる総膜厚５００μｍの２層積層体を得た。
【０１６５】
　得られた積層体，および金型（ストライプパターン（ピッチ６０μｍ，幅ｗ１＝４０μｍ，高さＨ＝１６０μｍ，アスペクト比Ｈ／ｗ１＝４（図２４（ａ）参照））の断面を走査型電子顕微鏡で観察し，得られた画像から，積層体の表面層１１の膜厚Ｌ，断面積Ｓ１，金型凸部の高さＨ，金型凹部の幅ｗ２，断面積Ｓ２を求めた。また，積層体の基材層と表面層の層間の剥離強度Ｆを前述の方法にて測定した。結果を表１，表２に示す。　また，表面層マトリックス，表面層，基材層それぞれについて，単膜とする他は同様の方法で単層シートを作製し，得られたシートについて，ガラス転移温度Ｔｇ１，Ｔｇ２，室温，及びＴｇ１＋３０℃での動的貯蔵弾性率Ｅ１’，Ｅ２’，動的損失弾性率Ｅ１”を前述の方法にて測定した。結果を表２に示す。
【０１６６】
　次に，得られた積層体，及び金型をともに１１０℃に加熱し，シート表面と金型の凹凸面を接触させて２０ＭＰａでプレスし，そのまま５分間保持した。その後９０℃まで冷却後プレス圧力を解放し，５０℃に冷却して金型から離型して樹脂成形品を得た。
【０１６７】
　得られた成形品の断面を走査型電子顕微鏡で観察したところ，金型の形状が転写されているとともに，表面層が貫通しており，ピッチ６０μｍ，幅２０μｍ，深さ１６０μｍのストライプパターン（成形品凸部：幅ｗ２１’＝２０μｍ，高さＨ２’＝１６０μｍ（表面層高さｈ２１’＝８０μｍ，土台部分高さｈ２２’＝８０μｍ），短軸アスペクト比Ｈ２’／ｗ２１’＝８（図２４（ｂ）参照））を形成できていることを確認した。
【０１６８】
　得られたシートを，携帯電話の液晶表示部分に張り合わせて，法線方向から画面の情報を観察したところ，画面の情報がはっきりと確認された。次に，ストライプと垂直方向に観察方向を傾けていくと，法線方向から１３°傾けたときに画面の情報が観察できなくなり，視野制御性を有することが確認された。
…(省略)…
【産業上の利用可能性】
【０１８１】
　本発明のパターン形成方法（および，本発明のパターン形成用シートを用いてパターン形成する方法）によって得られる成形品は，ディスプレイ部材に好適に適用可能であるが，ディスプレイ部材の他にも回路材料，光学素子，半導体集積材料，バイオチップ，意匠部材など各種分野に適用可能である。」
　カ　図１，図２，図１６〜図１９，図２４
図１：
「
」
図２：
「
」
図１６：
「
」
図１７：
「
」
図１８：
「
」
図１９：
「
」
図２４：
「
」
　(2) 引用発明
　引用文献２の【００７９】には，「本発明のパターン形成方法」として，「積層体１の表面に凹凸形状を有する金型２を押し付けて金型表面形状を転写するとともに，表面層１１を貫通させる」方法が開示されている。
　また，引用文献２の図１９（ａ）〜（ｄ），【０１１６】には，「本発明のパターン形成方法によって得られる光学機能性シート」（【０１１３】）として，「光吸収層または光散乱層２５０の存在しない部分の形状が，略三角形，略四角形，略六角形，円，楕円」「から選ばれる形状を有し」ている「光学機能性シート」が開示されているところ，【０１１７】には，「微粒子１３として，可視光の全波長領域を吸収するものを用い」，「斜め方向の光は吸収される結果，斜め方向から観察すると黒色となる視野制御シート」が記載されている。
　そうしてみると，引用文献２には，次の「視野制御シート」の発明が記載されている（以下「引用発明」という。）。なお，用語を統一して記載した。
「　所定角度範囲方向の光のみを選択的に透過し，その他の方向の光は吸収する視野制御機能を有し，光線透過性を有する基材層１２上に，微粒子１３として光吸収性材料を用いて表面層１１を形成した積層体の表面に，凹凸形状を有する金型２を押し付けて金型表面形状を転写するとともに，表面層１１を貫通させる，パターン形成方法によって得られる視野制御シートであって，
　視野制御シートは，基部２４０の上にパターン状に光吸収層２５０が形成されており，光吸収層２５０の存在しない部分の形状が，略三角形，略四角形，略六角形，円，楕円から選ばれる形状を有し，
　視野制御シート膜厚方向における凸部の高さＨ２’と，視野制御シート断面における膜面方向の凹部幅ｗ２２’とのアスペクト比（Ｈ２’／ｗ２２’）を低くすると視野角が広がり，高くすると視野角を狭くすることが可能であり，アスペクト比（Ｈ２’／ｗ２２’）の好ましい範囲は１〜１０であり，
　凹部の幅ｗ２２’は，５〜２５０μｍであり，この範囲とすることで，液晶ディスプレイ用途へ使用した場合に，目視でシート上の繰り返しパターンが確認されず，画素パターンとの干渉が生じないため好ましく，繰り返しパターンのピッチｐ２’は一定であってもよいし，規則的に変化しても，またランダムであってもよく，
　微粒子１３として，可視光の全波長領域を吸収するものを用い，斜め方向の光は吸収される結果，斜め方向から観察すると黒色となる，
　視野制御シート。」
　(3) 対比
　本件補正後発明と引用発明を対比すると，以下のとおりとなる。
　ア　光制御フィルム
　引用発明の「視野制御シート」は，「所定角度範囲方向の光のみを選択的に透過し，その他の方向の光は吸収する視野制御機能を有し」ている。
　そうしてみると，引用発明の「視野制御シート」は，上記のとおり光を制御することができるものであるとともに，その文言からみて，フィルム状のものである。また，「シート」と呼ばれるものが，「表面」と，その反対側の「裏面」を有することは自明である。加えて，「表面」及び「裏面」を，それぞれ「第１の主表面」及び「第２の主表面」と称しても，物としての構成は変わらない。
　したがって，引用発明の「視野制御シート」は，本件補正後発明の「光制御フィルム」に相当する。また，引用発明の「視野制御シート」は，本件補正後発明の「光制御フィルム」における，「第１の主表面及び反対側の第２の主表面と」「を備え」という要件を満たす。
（以下，対比の便宜上，引用発明において，凸部側の最表面を「表面」，基材層１２側の最表面を「裏面」と呼ぶ。）
　イ　光吸収材料
　引用発明の「視野制御シート」は，「光線透過性を有する基材層１２上に，微粒子１３として光吸収性材料を用いて表面層１１を形成した積層体の表面に，凹凸形状を有する金型２を押し付けて金型表面形状を転写するとともに表面層１１を貫通させる，パターン形成方法によって得られ」，「基部２４０の上にパターン状に光吸収層２５０が形成され」たものである。
　上記の構成からみて，引用発明の「光吸収層２５０」は，「視野制御シート」の「表面」と「裏面」との間に広がって存在する，すなわち延在する，「光吸収性材料」からなるものといえる。
　したがって，引用発明の「光吸収性材料」からなる「光吸収層２５０」は，本件補正後発明の「光吸収材料」に相当する。また，引用発明の「視野制御シート」は，本件補正後発明の「光制御フィルム」における，「前記第１の主表面と前記第２の主表面との間に延在する光吸収材料」「を備え」という要件を満たす。
（当合議体注：本件補正後発明でいう「光吸収材料」は，材料の性質を特定しつつも部材を特定したものと理解されるので，上記のとおり対比する。）
　ウ　光透過性空洞
　引用発明の「視野制御シート」は，「光吸収層２５０の存在しない部分の形状が，略三角形，略四角形，略六角形，円，楕円から選ばれる形状を有し」ている。
　上記の形状からみて，引用発明の「光吸収層２５０の存在しない部分」は，「視野制御シート」の「表面」と「裏面」との間に途切れ途切れに，すなわち部分的に延在する，複数の空洞ということができる。また，引用発明の「光吸収層２５０の存在しない部分」は，「光吸収層２５０」によって光学的に絶縁された，光透過性のものといえる。
　したがって，引用発明の「光吸収層２５０の存在しない部分」は，本件補正後発明の「前記第１の主表面と前記第２の主表面との間に少なくとも部分的に延在する複数の光学的に絶縁された」とされる，「光透過性空洞」に相当する。また，引用発明の「視野制御シート」は，本件補正後発明の「光制御フィルム」における，「前記第１の主表面と前記第２の主表面との間に少なくとも部分的に延在する複数の光学的に絶縁された光透過性空洞」「を備え」という要件を満たす。
　エ　第１の開口，第２の開口，側壁
　引用発明の「光吸収層２５０の存在しない部分」は，「光線透過性を有する基材層１２上に，微粒子１３として光吸収性材料を用いて表面層１１を形成した積層体の表面に，凹凸形状を有する金型２を押し付けて金型表面形状を転写するとともに表面層１１を貫通させる，パターン形成方法によって」形成されたものである。また，引用発明の「光吸収層２５０の存在しない部分」は，「略三角形，略四角形，略六角形，円，楕円から選ばれる形状を有し」，「視野制御シート膜厚方向における凸部の高さＨ２’と，視野制御シート断面における膜面方向の凹部幅ｗ２２’」を定義可能なものである。
　上記の構成から理解される引用発明の「光吸収層２５０の存在しない部分」の形状からみて，引用発明の「光吸収層２５０の存在しない部分」は，「表面」と一致する開口と，「裏面」に隣接する（一致はしていない）「凹部」（の底面）と，開口と「凹部」（の底面）の間に延在する側壁とを備えたものといえる。また，本件補正後発明でいう「開口」とは，口が開いていない凹部（の底面）を含む概念であるから，引用発明の「凹部」（の底面）は「開口」ということができる。また，「開口」に序数字を付して「第１の開口」及び「第２の開口」と称しても，物としての構成は変わらない。
　そうしてみると，引用発明の「光吸収層２５０の存在しない部分」は，本件補正後発明の「空洞」における，「前記複数の空洞のそれぞれが，前記第１の主表面と一致する第１の開口と，前記第２の主表面に隣接する第２の開口と，前記第１の開口及び前記第２の開口の間に延在する少なくとも１つの側壁と，を備え」という要件を満たす。
　オ　断面
　引用発明の「光吸収層２５０の存在しない部分」は，前記エで述べたパターン形成方法によって形成され，前記エで述べた形状を具備するものである。
　そうしてみると，引用発明の「視野制御シート」は，「表面」に平行な「光吸収層２５０の存在しない部分」のそれぞれの断面が，円形，楕円形又は多角形を含むものである。
　したがって，引用発明の「視野角制御シート」は，本件補正後発明の「光制御フィルム」における，「前記第１の主表面に平行な前記空洞のそれぞれの断面が，円形，楕円形，又は多角形を含み」という要件を満たす。
　(4) 一致点及び相違点
　ア　一致点
　本件補正後発明と引用発明は，次の構成で一致する。
「　光制御フィルムであって，
　第１の主表面及び反対側の第２の主表面と，
　前記第１の主表面と前記第２の主表面との間に延在する光吸収材料と，
　前記第１の主表面と前記第２の主表面との間に少なくとも部分的に延在する複数の光学的に絶縁された光透過性空洞と，を備え，
　前記複数の空洞のそれぞれが，前記第１の主表面と一致する第１の開口と，前記第２の主表面に隣接する第２の開口と，前記第１の開口及び前記第２の開口の間に延在する少なくとも１つの側壁と，を備え，
　前記第１の主表面に平行な前記空洞のそれぞれの断面が，円形，楕円形，又は多角形を含む，
　光制御フィルム。」
　イ　相違点
　本件補正後発明と引用発明は，以下の点で相違する。
（相違点１）
　「光制御フィルム」が，本件補正後発明は，「更に，前記第２の開口及び前記第２の主表面が，０．１以上５マイクロメートル以下のランド厚さを有する前記光吸収材料によって分離され」という構成を具備するのに対して，引用発明は，「光線透過性を有する基材層１２上に，微粒子１３として光吸収性材料を用いて表面層１１を形成した積層体の表面に，凹凸形状を有する金型２を押し付けて金型表面形状を転写するとともに表面層１１を貫通させる，パターン形成方法によって得られる」ものである点。
（相違点２）
　「空洞」が，本件補正後発明は，「前記複数の光学的に絶縁された光透過性空洞のそれぞれが，前記第１の主表面に直交する視野平面と関連付けられる，前記第１の開口と前記第２の開口との間の深さＤ，第１の開口幅Ｗ１，及び第２の開口幅Ｗ２を有し，前記視野平面において，Ｄ／（（Ｗ１＋Ｗ２）／２）が，少なくとも１．２５であり，Ｄ／（（Ｗ１＋Ｗ２）／２）が，８．２５以下であり」，「前記側壁が，０度以上１０度以下の角度で前記第１の主表面に対する垂線に交差し，前記空洞は１５μｍ以上８０μｍ以下で離間配置され，前記第１の開口幅Ｗ１は１０μｍ以上５０μｍ以下であり，前記深さＤは３０μｍ以上６０μｍ以下であり」という要件を満たすものであるのに対して，引用発明は，このような構成を具備するものとは特定されていない点。
（相違点３）
　「光吸収材料」が，本件補正後発明は，「二官能性及び／又は多官能性モノマーと混合されたアクリル化ウレタンを含む硬化性樹脂を含む」ものであるのに対して，引用発明は，このような構成を具備するものとは特定されていない点。
　(5) 判断
　相違点についての判断は，以下のとおりである。
　ア　相違点１について
　引用文献１の【０１１４】には，「図１６は，表面層１１が金型凸部の侵入により断裂して，かつ基部２４０の上にパターン状に光吸収層または光散乱層２５０が形成されている場合の例を示しているが，これに限定されず，図１７（ａ）〜（ｆ）に例示するような構造も好ましく用いられる。」，「図１７（ｄ）〜（ｆ）は表面層１１が部分的，もしくは全体的に連結しているが，機能的に連結しない場合を示しており，またさらに，図１７（ａ），（ｄ）は，凸部全体が表面層を構成する材料で形成されている場合…をそれぞれ示すものである。」及び「本発明の光学機能性シート（２）における機能的に断続しないとは，図１１（ｄ）〜（ｆ）において，連結部分の膜厚の表面層１１を持つ積層体を形成し，その透過率を測定したときに，透過率が５０％以上であることを示す。」と記載されている（当合議体注：「図１１」は，「図１７」の誤記とも解されるが，いずれにせよ，同じことが説明されている。）。
　そうしてみると，引用発明において，「透過率が５０％以上である」範囲内において，図１１（ｄ）や図１７（ｄ）から看取されるような構成を採用すること（例：凹部の底に，０．１μｍを僅かに超える程度の厚さの表面層が残ってしまうこと）は，望ましくないことであるとしても，引用発明が許容する態様といえる。
　以上のとおりであるから，引用発明を，「更に，前記第２の開口及び前記第２の主表面が，０．１以上５マイクロメートル以下のランド厚さを有する前記光吸収材料によって分離され」という構成を具備したものとすることは，引用文献２の記載が示唆する範囲内の事項にすぎない。
　イ　相違点２について
　前記アで述べたとおり，引用発明において，図１１（ｄ）や図１７（ｄ）から看取されるような構成を採用することは，引用発明が許容する態様である。そして，この場合における引用発明の「光吸収層２５０の存在しない部分の形状」は，相違点２に係る本件補正後発明の「前記側壁が，０度以上１０度以下の角度で前記第１の主表面に対する垂線に交差し」との構成を満たすこととなる。
　また，本件優先日前においては，画素が３００ｐｐｉを上回る液晶表示装置を具備した携帯電話も市販されている。
　そうしてみると，引用発明において，「画素パターンとの干渉が生じない」ようにすることを意図した当業者が，相違点２に係る本件補正後発明の「前記空洞は１５μｍ以上８０μｍ以下で離間配置され，前記第１の開口幅Ｗ１は１０μｍ以上５０μｍ以下であり」という要件を満たすものとして，引用発明の「視野制御シート」を設計することは，引用発明の構成それ自体が示唆するものである。
（当合議体注：例えば，画素が３２６ｐｐｉ（ｉＰｈｏｎｅ４：画素ピッチ７８μｍ）の液晶表示装置との関係において，引用発明の「視野制御シート」の「凹部の幅ｗ２２’」を２０μｍ，「繰り返しパターンのピッチｐ２’」を４０μｍとすることは，ピッチを画素ピッチの１／２程度とすればモアレ干渉縞がほぼ観察されなくなるという技術常識を心得た当業者における，単なる設計的事項にすぎない。）
　加えて，引用発明は「視野制御シート」であるところ，「視野制御シート膜厚方向における凸部の高さＨ２’と，視野制御シート断面における膜面方向の凹部幅ｗ２２’とのアスペクト比（Ｈ２’／ｗ２２’）を低くすると視野角が広がり，高くすると視野角を狭くすることが可能であり，アスペクト比（Ｈ２’／ｗ２２’）の好ましい範囲は１〜１０であ」る。
　そうしてみると，引用発明において，比較的広い視野角の「視野制御シート」を得ることを意図した当業者が，例えば「アスペクト比（Ｈ２’／ｗ２２’）」として「２」を選択した結果として，相違点２に係る本件補正後発明の「前記深さＤは３０μｍ以上６０μｍ以下であり」及び「前記複数の光学的に絶縁された光透過性空洞のそれぞれが，前記第１の主表面に直交する視野平面と関連付けられる，前記第１の開口と前記第２の開口との間の深さＤ，第１の開口幅Ｗ１，及び第２の開口幅Ｗ２を有し，前記視野平面において，Ｄ／（（Ｗ１＋Ｗ２）／２）が，少なくとも１．２５であり，Ｄ／（（Ｗ１＋Ｗ２）／２）が，８．２５以下であり」という要件を満たすものとして，引用発明の「視野制御シート」を設計することは，引用発明の構成それ自体が示唆するものである。
（当合議体注：図１１（ｄ）や図１７(ｄ)に倣って設計された「光吸収層２５０の存在しない部分の形状」は，本件補正後発明でいう「Ｗ１」と「Ｗ２」とが概ね等しいものとなる。したがって，例えば，「アスペクト比（Ｈ２’／ｗ２２’）」が「２」で設計された引用発明は，本件補正後発明でいう「Ｄ／（（Ｗ１＋Ｗ２）／２）」も「２」近傍のものとなる。）
　以上のとおりであるから，引用発明を，相違点２に係る本件補正後発明の構成を具備したものとすることは，本件優先日前の技術常識を心得た当業者における，通常の創意工夫の範囲内の事項である。
　ウ　相違点３について
　引用発明の「表面層１１」の材料に関して，引用文献１の【００６８】〜【００７０】には，それぞれ，「本発明のパターン形成方法における，積層体１の表面層１１のマトリックスおよび基材層１２の材質は，いずれも熱可塑性を有する樹脂を主たる成分として構成されることが好ましく」，「上述の熱可塑性樹脂は，熱可塑性とともに光硬化性，
熱硬化性
（当合議体注：「熱可塑性」と「熱硬化性」は相反する性質であるから，上記の下線を付した「熱硬化性」は，熱により架橋する性質のことを述べたものと理解するのが妥当である。）
　そうしてみると，引用発明の「表面層１１」の材料としては，熱可塑性ともに，光硬化性（電磁波による架橋性）を具備するものが想定されるところ，このような材料として，「二官能性及び／又は多官能性モノマーと混合されたアクリル化ウレタンを含む硬化性樹脂を含む」ものは，以下に示すとおり，周知である。
　(ア) 特表２００９−５２４０８０号公報（以下「周知例１」という。）
　請求項１を引用して記載された請求項６に係る発明の，光コリメーティングフィルムの材料は，「ビスフェノール−Ａエトキシル化ジアクリレート」及び「脂肪族ウレタンジアクリレートオリゴマー」を含むものである。
　また，【００６８】には，「ビスフェノール−Ａエトキシル化ジアクリレート」（二官能性モノマー）として，「ＳＲ６０１」が，「脂肪族ウレタンジアクリレートオリゴマー」（アクリル化ウレタン）として，「Ｐｈｏｔｏｍｅｒ　６０１０」が挙げられている。
　(イ) 国際公開第２０１１／０５６４７５号（以下「周知例２」という。）
　３２頁のＴＡＢＬＥ４には，「Ｐｈｏｔｏｍｅｒ６０１０」及び「ＳＲ３５５」を含む樹脂材料が記載されている。また，３８頁９及び１０行には，「ＳＲ３５５」が「ジトリメチロールプロパンテトラアクリレート」（多官能性モノマー）であることが，同１０行には「Ｐｈｏｔｏｍｅｒ６０１０」が「脂肪族ウレタンアクリレートオリゴマー」（アクリル化ウレタン）であることが記載されている。
　(ウ) 特開平１−１０１３１６号公報（以下「周知例３」という。）
　請求項１には，「一般式（１）で表される（メタ）アクリレート化合物」（二官能性モノマー）及び「一般式（２）で表される（メタ）アクリレート化合物」（アクリル化ウレタン）をラジカル共重合させて得られた光学用材料が記載されている。
当合議体注：一般式（１）及び一般式（２）は以下のとおりである。
　(エ) 特表２００７−５１７９２９号公報（以下「周知例４」という。）
　請求項１及び請求項２を引用して記載された請求項６に係る発明の，組成部は，「ヘキサンジオールジアクリレート」（二官能性モノマー）及び「脂肪族ウレタンジアクリレートオリゴマー」（アクリル化ウレタン）を含むものである。
　これら周知例に記載された材料は，その材料から推定される粘度等の物性や，周知例１の【００７７】に記載された作製例から理解されるとおり，引用発明の「視野制御シート」の樹脂材料（又は併用される樹脂材料）として適したものと理解される。
（当合議体注：なお，引用文献２に主として記載された製造方法は，熱インプリントであり，また，【００１０】では光インプリントの問題点も指摘されている。ただし，請求項１及び請求項２の記載からみて，引用発明は，光インプリントにより製造されることを排斥まではしていないし，【００６９】及び【００７０】の記載，並びに，前記イで述べた凹凸寸法が引用文献２の実施例４のものよりも微細であることを考慮すると，少なくとも，比較的低粘度の光硬化樹脂を使用又は併用することは許容されているといえる。）
　以上のとおりであるから，引用発明において，相違点３に係る本件補正後発明の構成を採用することは，周知技術を心得た当業者が容易に発明をすることができたものである。
　(6) 発明の効果について
　本件出願の発明の詳細な説明には，本件補正後発明の効果に関する明示的な記載は存在しない。ただし，本件出願の明細書の【０００４】には，発明が解決しようとする課題として，「従来の並列溝付きフィルムは，一次元の光制御フィルムであり，即ち，それらはフィルムの左右（又は上下）に対してのみ光制御効果を有する。したがって，従来のフィルムの単一シートは，フィルムの左右及び上下を含むあらゆる方向に安全性を確保する利用者の要求を満たすことができない。」と記載されている。
　仮に，本件補正後発明の効果が，この課題の裏返しのもの（フィルムの左右及び上下を含むあらゆる方向に安全性を確保する利用者の要求を満たすこと）と理解するならば，そのような効果は，引用発明も奏する効果である。
　(7) 請求人の主張について
　請求人は，審判請求書において，概略，引用文献２の請求項１に，「（Ｂ）該金型転写に用いられる金型は，金型凸部高さＨが表面層膜厚Ｌより大きく，かつ金型凹部断面積Ｓ２が表面層断面積Ｓ１より大きい表面形状を有し，積層体の表面層に押しあて金型凸部により前記表面層を貫通させる」と記載されていることを根拠にして，引用発明の光吸収層２５０の存在しない部分は，ランド厚さを有しないと主張する。
　しかしながら，前記(5)アで述べたとおりである。
　(8) その他
　本件出願の【００２５】及び【００２６】の記載によると，本件補正後発明の「第２の主表面」に対応する面は，「光吸収材料」と「可撓性層１３０」の界面である（当合議体注：なお，「界面」は，通常，「表面」とはいわない。）。
　しかしながら，引用発明も，「表面層１１」と「基材層１２」の間に，界面を具備する。
　したがって，仮に，本件補正後発明の「第２の主表面」を「光吸収材料」と「可撓性層１３０」の界面と理解しても，結論は変わらない。
　(9) 小括
　本件補正後発明は，引用文献２に記載された発明及び周知技術に基づいて，当業者が容易に発明をすることができたものであるから，特許法２９条２項の規定により特許を受けることができない。
　３　補正の却下の決定のむすび
　本件補正は，特許法１７条の２第５項の規定に違反するとともに，特許法１７条の２第６項において準用する同法１２６条７項の規定にも違反するので，同法１５９条１項の規定において読み替えて準用する同法５３条１項の規定により却下すべきものである。
　よって，前記［補正の却下の決定の結論］のとおり決定する。
第３　本願発明について
　１　本願発明
　以上のとおり，本件補正は却下されたので，本件出願の請求項１に係る発明は，前記「第２」［理由］１(1)に記載のとおりのものである（以下「本願発明」という。）。
　２　原査定の拒絶の理由
　本願発明に対する原査定の拒絶の理由は，本願発明は，本件優先日前に日本国内又は外国において頒布された刊行物である特開２００７−０６９６０３号公報（引用文献２）に記載された発明及び周知技術に基づいて，当業者が容易に発明をすることができたものであるから，特許法２９条２項の規定により特許を受けることができない，というものである。
　３　引用文献及び引用発明
　引用文献２の記載及び引用発明は，前記「第２」［理由］２(1)及び(2)に記載したとおりである。
　４　対比及び判断
　本願発明は，前記前記「第２」［理由］２で検討した本件補正後発明から，「前記側壁が，０度以上１０度以下の角度で前記第１の主表面に対する垂線に交差し，前記空洞は１５μｍ以上８０μｍ以下で離間配置され，前記第１の開口幅Ｗ１は１０μｍ以上５０μｍ以下であり，前記深さＤは３０μｍ以上６０μｍ以下であり」という発明特定事項を削除し，また，ランド厚さについては，０．１超５マイクロメートル以下の範囲で重複するものである。また，本件補正後発明は，前記「第２」［理由］２(3)〜(9)に記載したとおり，引用文献２に記載された発明及び周知技術に基づいて，当業者が容易に発明をすることができたものである。
　そうしてみると，本願発明は，引用文献２に記載された発明及び周知技術に基づいて当業者が容易に発明をすることができたものである。
第４　むすび
　以上のとおり，本願発明は，特許法２９条２項の規定により特許を受けることができないから，他の請求項に係る発明について検討するまでもなく，本件出願は拒絶されるべきものである。
　よって，結論のとおり審決する。